(57)【要約】ソフトハンドオーバにおけるＳＳＤＴによって与えられた、セルが一次であるか否かについてのインディケーションは、セルが一次であればＤＣＨに基づいてＤＣＨ電力が設定され、そうでない場合はＤＣＨに関する固定された電力レベルまたはオフセットで使用されるという原理によってＤＳＣＨ伝送電力を構成するために実際に使用するか否かにかかわらず基地局によって使用される。
2004502360.tif 000002
【特許請求の範囲】
【請求項１】
少なくとも１台のユーザ装置（ＵＥ）（１０）、および共通ネットワーク制御装置（７６）に接続される複数の基地局（２０、２２、２４）を有する無線電気通信システム（１）で使用するための方法であって、
前記ＵＥが、前記複数の基地局の２つ以上から前記ＵＥに同時に確立される複数の無線ダウンリンク（１４、１６、１８）の少なくとも１つのパラメータの大きさを定期的に決定し、前記ＵＥと、前記システムと通信中のエンド端末間の通信セッションで使用するために、前記複数の無線ダウンリンクの前記２つ以上の内のどの無線リンクが現在の好まれている基地局からであるのかを定期的に決定することができ、
前記ＵＥから、前記複数の基地局の前記２つ以上の少なくとも１つへのアップリンク（６０）上で、前記複数の基地局の前記２つ以上の内の前記少なくとも１つから前記ＵＥへのダウンリンクが、前記の現在好まれている基地局からである、あるいはからではない旨を定期的に信号で知らせる工程と、
前記ＵＥからの前記アップリンク上での前記定期的な通知に応えて、前記複数の基地局の前記２つ以上の内の前記少なくとも１つから前記ＵＥへの少なくとも前記ダウンリンクのための電力制御方法を定期的に選択する工程
とを含んでなる方法。
【請求項２】
前記１つまたは複数の基地局の前記少なくとも１つから前記ＵＥへの前記ダウンリンクが、前記の現在好まれている基地局からではない旨を信号で知らせる前記通知工程に応えて、前記定期的に選択する工程が、前記現在好まれている基地局からではない前記ＵＥへの前記ダウンリンクのための固定電力制御方法を選択する請求項１記載の方法。
【請求項３】
前記１つまたは複数の基地局の前記少なくとも１つから前記ＵＥへの前記ダウンリンクが前記の現在好まれている基地局からである旨を信号で知らせる前記通知工程に応えて、前記定期的に選択する工程が、前記の現在好まれている基地局から前記ＵＥへの別の関連するダウンリンクの電力レベルに基づいた電力制御方法を選択する請求項１記載の方法。
【請求項４】
少なくとも１つのユーザ装置（ＵＥ）（１０）、および共通ネットワーク制御装置（７６）に接続される複数の基地局（２０、２２、２４）を有する無線電気通信システム（１）で使用するための装置であって、そこでは前記ＵＥが、前記複数の基地局の２つ以上から前記ＵＥへ同時に確立される複数の無線ダウンリンク（１４、１６、１８）の内の少なくとも１つのパラメータの大きさを定期的に決定し、前記ＵＥと、前記システムと通信中のエンド端末間の通信セッションで使用するために、前記複数の無線ダウンリンクの前記２つ以上の内のどの無線ダウンリンクが現在好まれている基地局からであるかを定期的に決定することができ、
前記ＵＥから前記複数の基地局の前記２つ以上の内の少なくとも１つへのアップリンク（６０）で、前記複数の基地局の前記２つ以上の内の前記少なくとも１つから前記ＵＥへのダウンリンクが、前記の現在好まれている基地局からである、あるいはからではない旨を定期的に信号で知らせるための手段（５６）と、
前記ＵＥからの前記アップリンクでの前記定期的な通知に応えて、前記複数の基地局の前記２つ以上の内の前記少なくとも１つから前記ＵＥへの少なくとも前記ダウンリンクのための電力制御方法を定期的に選択するための手段（６８）
とを備えてなる装置。
【請求項５】
前記定期的に選択するための手段が、前記１つまたは複数の基地局の前記少なくとも１つから前記ＵＥへの前記ダウンリンクが、前記現在好まれている基地局からではない旨を信号で知らせる前記通知工程に応えて、前記の現在好まれている基地局からではない前記ＵＥへの前記ダウンリンクのための固定電力レベル制御方法を選択する請求項４記載の装置。
【請求項６】
前記定期的に選択するための手段が、前記１つまたは複数の基地局の前記少なくとも１つから前記ＵＥへの前記ダウンリンクが前記の現在好まれている基地局からである旨を信号で知らせる前記通知工程に応えて、前記の現在好まれている基地局から前記ＵＥへの別の関連するダウンリンクの電力レベルに基づいて電力制御方法を選択する請求項４記載の装置。
【請求項７】
少なくとも１つの前記ＵＥおよび共通ネットワーク制御装置に接続されている複数の基地局を有する無線電気通信システムで使用するためのユーザ装置（ＵＥ）であって、
前記ＵＥは、前記複数の基地局の２つ以上から前記ＵＥへ同時に確立される複数の無線ダウンリンクの少なくとも１つのパラメータの大きさを定期的に決定し、前記ＵＥと、前記システムと通信中のエンド端末間の通信セッションで使用するために前記複数の無線ダウンリンクの前記２つ以上のどの無線ダウンリンクが現在好まれている基地局からであるのかを定期的に決定することができ、
対応する複数の検知済みの信号（４２）を提供するために複数の基地局からダウンリンク信号（３２）に応える検知手段（１２）と、
前記複数の検知済み信号を記憶するため、および要求時に記憶装置から複数の検知済みの信号（４６）を提供するために前記複数の検知済み信号に応える記憶手段（４４）と、
前記検知済み信号のパラメータ規模の比較を示す比較信号（５０）を提供するために前記検知済み信号に関係するパラメータを比較するために、前記記憶手段から検索される前記複数の検知済み信号に応えるコンパレータ手段（４８）と、
好ましい基地局を選択するため、およびそれを示す選択信号（５４）を提供するために前記コンパレータ手段からの前記比較信号に応える選択手段（５２）と、
好ましい基地局を示すアップリンク信号（５８）を提供するために前記選択信号に応える通知手段
とを備えてなるユーザ装置。
【請求項８】
少なくとも１つのユーザ装置（ＵＥ）を有する無線電気通信システムで使用するための装置であって、前記システムは、共通ネットワーク制御装置に接続される複数の基地局を含み、前記ＵＥは前記複数の基地局の２つ以上から前記ＵＥへ同時に確立される複数の無線ダウンリンクの少なくとも１つのパラメータの大きさを定期的に決定し、前記ＵＥと、前記システムと通信中のエンド端末間の通信セッションで使用するために、前記複数の無線ダウンリンクの前記２つ以上の内のどの無線ダウンリンクが現在好まれている基地局からであるかを定期的に決定することができ、前記装置は、好ましい基地局の識別を示すユーザ装置からの選択信号に応え、
基地局が好まれているかどうかを判断するため、およびそれを示す選択信号（７０）を提供するために前記アップリンク信号に応える選択手段（６８）と、
好まれている基地局が決定されるかどうかにしたがって選択される電力レベルを前記ユーザ装置へのダウンリンク制御信号（７４、１４）に提供するために、前記選択信号に応える電力制御手段（７２）
とを備えてなる装置。
【発明の詳細な説明】
【０００１】
［技術分野］
本発明は、無線ネットワークに関し、詳細には、ダウンリンク伝送ダイバシティの状況におけるダウンリンク共有チャネルの電力制御に関する。
【０００２】
［従来の技術］
ユニバーサル移動電気通信システム（ＵＭＴＳ）は、マルチメディアに対するサポートを含む、高速データレートおよび幅広い範囲の電気通信サービスを提供するためのものである第３世代移動システムとなるべきである。ＵＭＴＳは、効率的なネットワークリソースの使用により高品質のサービスを提供するだろう。ＵＭＴＳは、新しい無線インタフェースなどのいくつかの主要な改良を伴う移動通信のためのグローバルデジタルセルラーシステム（ＧＳＭ）に準拠することになっている。ＵＭＴＳネットワークは、回線切替方式サービスとパケット切替方式サービスの両方をサポートしなければならない。該回線切替方式技術は現在のＧＳＭ回線切替技術を核にし、パケット切替技術は、ＧＳＭの新しいパケットサービスである汎用パケット無線サービス（ＧＰＲＳ）を核にするだろう。
【０００３】
ＵＭＴＳのアーキテクチャは、このようにしてＧＳＭ／ＧＰＲＳに準拠しなければならない。しかしながら、ＵＭＴＳのアクセスネットワーク部分はＧＳＭと比較すると新しく、画期的となるだろう。ＵＭＴＳ地上無線アクセス（ＵＴＲＡ）ネットワーク（ＵＴＲＡＮ）は、２つの異なるモード、つまり広帯域符号分割多重アクセス方式（ＷＣＤＭＡ）と時分割／符号分割多元接続（ＴＤ／ＣＤＭＡ）で動作可能な新しい無線インタフェースとなるだろう。コアネットワーク側では、ＵＭＴＳは機能拡張されたＧＳＭに準拠する回線切替方式コアネットワークと、ＧＰＲＳに準拠するパケット切替方式コアネットワークから成り立つだろう。ＵＴＲＡＮは、一人のユーザのための複数の同時接続をサポートする能力、つまり同時パケット切替接続と同時回線切替接続を備え、あらゆる接続はＱｏＳ（サービスの質）パラメータなどの個々の特性を有し得るだろう。ＧＰＲＳとは反対に、ＵＴＲＡＮは、パケット切替方式接続のスループットも保証できる。この特性は、いくつかのマルチメディア用途には不可欠である。ＵＭＴＳシステムではＧＳＭと比較して広い帯域幅が利用可能であるにも関わらず、システムの無線部分は障害ないしはボトルネックに最も陥りやすいままだろう。例のごとく、設計目的は、汎用性（ｖｅｒｓａｔｉｌｉｔｙ）を危うくすることなく限られたリソースを効率的に使用することである。
【０００４】
ＵＭＴＳパケットネットワークアーキテクチャは、きわめてＧＰＲＳに類似するだろう。ただし、いくつかの要素およびインタフェースのネーミングはＧＰＳから変更された。図１はＧＰＲＳネットワークアーキテクチャを示し、図２はＵＭＴＳパケットネットワークアーキテクチャを示す。ＵＭＴＳパケットネットワークは、以下のネットワーク要素から成り立つ。
−３Ｇ−ＳＧＳＮ：それは、サービス側ＧＰＲＳサポートノード（ＳＧＳＮ）の第３世代バージョンとなるだろう。
−３Ｇ−ＧＧＳＮ：それは、ゲートウェイＧＰＲＳサポートノード（ＧＧＳＮ）の第３世代バージョンとなるだろう。
−ＨＬＲ：それは、いくつかの更新を伴うＧＳＭホームロケーションレジスタ（ＨＬＲ）となるだろう。
−ノードＢ：それは、ＧＳＭ内の基地トランシーバ局（ＢＴＳ）に相当するだろう。
―ＲＮＣ（無線ネットワーク制御装置）：それは、ＧＳＭ内の基地局制御装置（ＢＳＣ）に相当するだろう。
【０００５】
パケット切替方式側のコアネットワーク（ＣＮ）は、３Ｇ−ＳＧＳＮ要素、３Ｇ−ＧＧＳ要素およびＨＬＲ要素から成り立つだろう。パケットコアネットワークは、コアネットワーク要素３Ｇ−ＳＧＳＮと３Ｇ−ＧＧＳＮをともに接続するためにバックボーンネットワークも含むだろう。
【０００６】
ノードＢおよびＲＮＣは、ＵＭＴＳネットワークの無線アクセスネットワーク（ＲＡＮ）を備えるだろう。ＲＡＮはＧＳＭのＢＳＳ（基地局サブシステム）に相当するだろう。ＲＡＮの責任は、無線チャネル暗号化、電力制御、無線ベアラ（ｂｅａｒｅｒ）接続セットアップとリリースなどのすべての無線に特有な機能の処理である。要素間の基本的な切り分け（ｓｅｐａｒａｔｉｏｎ）は、ノードＢが物理層機能を処理し、ＲＮＣが管理機能を処理するという点である。しかしながら、該切り分けはＧＳＭにおいてとはわずかに異なる可能性がある。
【０００７】
図１と図２を比較することにより分かるように、アーキテクチャの最大の相違点はＲＡＮ内部の新しいインタフェース（Ｉｕｒ）だろう。それはＲＮＣ間に常駐するだろう。これに関連して、ＵＭＴＳはマクロダイバシティと呼ばれる新しい概念を導入する。マクロダイバシティ（ｍａｃｒｏｄｉｖｅｒｓｉｔｙ）状況では、データは複数のノードＢを介して送信されるだろう。信号はエアインタフェース上で複数のルートを介して転送され、たとえばＭＳとＲＮＣで結合されるため、フェージングの影響はより有害ではなくなり、したがってさらに低い電力レベルを使用できる。しかしながら、それらのノードＢは２つまたは３つ以上の異なるＲＮＣの領域に属する可能性があるため、該インタフェース、つまりＲＮＣ間のＩｕｒ−インタフェースが必要とされる。この状況では、図３に図示されるように、ＲＮＣは２つの論理的な役割を果たすことができる。ＲＮＣは論理的に「ドリフト」ＮＣ（ＤＲＮＣ）または「サービス側」（ＳＲＮＣ）のどちらかとなることができる。
【０００８】
図３に論理的な可能性に対して示されているとおり、当該Ｉｕ−インターフェースの実際の終端点はＳＲＮＣであろう。当該Ｉｕ−インターフェースは、パケット切替であれ、回路切替であれ、無線アクセスネットワーク（ＲＡＮ）およびコアネットワーク（ＣＮ）を接続するであろう。ＳＲＮＣは情報伝送を制御し、適切なＤＲＮＣｓからの無線リソースを要求するであろう。当該ＤＲＮＣは、図３に示されているＭＳとＳＲＮＣのあいだの情報を中断するであろう。
【０００９】
セルレベルの移動性の問題は、ＵＴＲＡＮ内で処理されるだろう。ユーザ装置に対する個別接続が存在するとき、ＵＴＲＡＮはＵＥの無線インタフェース移動性を処理するだろう。これは、ソフトハンドオーバなどの手順を含む。
【００１０】
３Ｇ（第３世代）のための新しいマクロダイバシティ概念の場合、通信セッション中の任意の時点において複数の基地局から無線リンクのどれが好まれるのかを決定し、どのリンクが好まれるのかに応じて該セッション中に該無線リンクのあいだでシームレスに切り替わることができるために、無線電気通信システム内のユーザ装置、たとえば移動局間でマルチプル無線リンクを同時にセットアップすることができるだろう。言い換えると、より強い信号の基地局への切り替えは、新しい接続をセットアップしなくても行なうことができるのである。つまり、ユーザ装置は、ユーザ装置と複数の基地局の内の２つ以上のあいだで同時に確立される複数の無線リンクの内の少なくとも１つのパラメータの大きさを測定し、ユーザ装置とシステムに接続されるエンド端末のあいだで通信セッション中に使用するために複数の無線リンクの内の該２つ以上の内のどの無線リンクが現在好まれているのかを定期的に決定できなければならない。
【００１１】
このようにして、ソフトハンドオーバは、ユーザ装置（ＵＥ）がつねに少なくとも１つのＵＴＲＡＮに対する無線リンクを保つような方式で無線リンクが追加、放棄されるハンドオーバ手順のカテゴリである。たとえば、図４に図示されるように、複数のノードＢ基地局（ＢＳ１、ＢＳ２、ＢＳ３）が複数の対応するセルに描かれている。移動局（ＭＳ）の形を取るユーザ装置は、あるセルから別のセルに移動すると図示されている。基地局１（ＢＳ１）からの距離が増すにつれて、図５に描かれるように、移動局での基地局１からの受信信号強度は減少するが、基地局２（ＢＳ２）からの受信信号強度は上昇する。これは、特に、距離ウィンドウとして図示される基地局ダイバシティの領域で顕著であり、基地局１と基地局２からの信号強度は該ウィンドウの内側で交差する。信号強度のスレッショルド領域内で、移動局がつねにＵＴＲＡＮに対する少なくとも１つの無線リンクを有効に保つソフトハンドオーバを達成することができる。これは、異なる周波数間、またはＷＣＤＭＡとＧＳＭのあいだ（またはＵＭＴＳ内でのＦＤＤ（周波数分割双方向）からＴＤＤ（時間分割双方向）への切り替え）のハンドオーバであるだろうハードハンドオーバと区別される。
【００１２】
各ユーザ装置が、必要とされる以上に他のユーザと干渉せずに、適切に情報を伝達するのにちょうど充分なエネルギーを受信、伝送することを確実にすることは、ＷＣＤＭＡ電力制御にとって重要だろう。図６に図示されるように、複数の移動局（ＭＳ１、ＭＳ２、ＭＳ３、ＭＳ４）が、対応する無線リンクを介してセル内の１つの基地局と通信しているように示されている。図７は、電力制御を行なわない基地局（ＢＳ）での受信電力を示し、図８は、最適電力制御を行なう基地局での受信電力を示す。ダウンリンク（ｄｏｗｎｌｉｎｋ）方向では、単一の移動局が基地局からの伝送全体の電力レベルに気を付け、理想的なケースでは電力レベルはダウンリンクの経路損失（ｐａｔｈ ｌｏｓｓ）の関数として変化する必要があるので、最適電力制御のための電力レベルはさまざまな観察点で異なる。ＵＭＴＳでは、干渉を最小限に抑え、接続の質を保つために、一群の機能を提供し、伝送電力のレベルを制御することが提案されている。提案された関数は、通常の伝送電力と圧縮伝送電力両方のためのアップリンクおよびダウンリンク外ループ（ｏｕｔｅｒ ｌｏｏｐ）電力制御、アップリンクおよびダウンリンク内ループ（ｉｎｎｅｒ ｌｏｏｐ）電力制御、およびアップリンクおよびダウンリンク開ループ（ｏｐｅｎ ｌｏｏｐ）電力制御から成り立つ。
【００１３】
アップリンク（ＵＬ）とダウンリンク（ＤＬ）両方のための開ループ電力制御は、ユーザ装置（ＵＥ）の初期電力、つまりランダムアクセスを設定する。関数はＵＥ測定値を使用し、セル／システムパラメータを入力として一斉送信する。関数はＵＴＡＮとＵＥの両方に位置する。ダウンリンク開ループ電力制御は、ＵＥからダウンリンク測定レポートを受信する。
【００１４】
アップリンク内ループ電力制御およびダウンリンク内ループ電力制御は、アップリンク用物理チャネルおよびダウンリンク用物理チャネルの電力を設定する。ＦＤＤでのアップリンク内ループ電力制御の場合、それはＦＤＤ用のノードＢに位置する閉ループプロセスである。それは、（後述される）アップリンク外ループ電力制御から品質ターゲット、およびアップリンク用物理制御チャネルの品質推定値（ｅｓｔｉｍａｔｅ）を受信する。電力制御コマンドはダウンリンク用物理チャネル（ＤＰＣＣＨ）上でＵＥに送信される。この関数はＵＴＲＡＮとＵＥの両方に位置する。
【００１５】
アップリンク外ループ電力制御はＳＲＮＣ内に位置し、（ＦＤＤのためのノードＢに位置する）ＵＬ内ループ電力制御のターゲット品質値を設定する。それはトランスポートチャネルの品質推定値から入力を受信する。ＵＬ外ループチャネルは、おもに無線チャネルの長期品質制御に使用される。ターゲット品質値はＳＲＮＣによってＵＥに送信される。ＦＤＤでは、接続がＳＲＮＳとＤＲＮＳの両方を必要とする場合、（ＳＲＮＣに位置する）ＵＲ外ループ電力制御の関数が（ノードＢに位置する）ＵＬ内ループ電力制御関数のターゲット品質を設定する。
【００１６】
同様に、ダウンリンク内ループ電力制御が、ダウンリンク用物理チャネルの電力を設定する。それはＤＬ外ループ電力制御からの品質ターゲットと、ダウンリンク用物理制御チャネルの品質推定値を受信する。電力制御コマンドは、アップリンク用物理制御チャネルでＵＴＲＡＮに送信される。この関数は、ＵＴＲＡＮとＵＥの両方に位置する。たとえば、図９は、対応するアップリンク（Ｐ１、Ｐ２）で基地局（ＢＳ）と通信中の２つの移動局（ＭＳ１、ＭＳ２）のためのアップリンク内ループ電力制御を示す。検出されるＳＩＲ（信号対干渉率）が、ＵＲ外ループ電力制御により設定されるＳＩＲを上回る場合には、適切な「ダウン」ＴＰＣ（伝送電力制御）コマンドがダウンリンクで送信される。他方、検出されるＳＩＲがターゲット未満である場合、ＴＰＣコマンドが移動局からの電力のアップ増分を命令する。典型的には、アップコマンドまたはダウンコマンドは、アップリンクの場合約７０ｄＢ範囲（２１ｄＢｍから−５０ｄＢｍ）内、ダウンリンクの場合約２０ｄＢ範囲内の１ｄＢとなるだろう
【００１７】
複数のＵＥによって共有され、使用されるチャネルと関連付けられたトランスポートチャネルであるダウンリンク共有チャネル（ＤＳＣＨ）の電力制御は、このようにして制御することもできる（第５．２．２項における３Ｇ  ＴＳ  ２５．２１４第３．１．１版（１９９９年１２月）を参照）。しかし、ＵＭＴＳ仕様は、正確にどのようにしてＤＳＣＨ電力制御が通常行なわれるのかを定めていない。基本的には２つの代替策が存在する。ＤＳＣＨがＤＣＨ電力変動に従うようにされるか、あるいはＤＳＣＨ電力レベルが固定されるかのどちらかである。たとえば、（このようなアプローチがインタフェース仕様に定められたとは考えられないが）共通チャネルの場合、従来のアプローチは、ただ固定電力レベルを使用するか、あるいは使用されるチャネル電力レベルに従うためにＲＮＣを介してゆっくりと電力レベルを制御するかのどちらかだろう。前述されたように、ダウンリンク方向では、単一の移動局が基地局からの伝送全体の電力レベルに気を付け、理想的なケースでは、電力レベルはダウンリンクの経路損失の関数として変化する必要があるので、最適電力制御のための電力レベルは、移動局の場所に応じて異なる。ＤＳＣＨのための電力レベルが固定される場合は、実際にははるかに少ない電力を必要とするユーザもいるだろうが、全ユーザのための電力はダウンリンクで同じであり、セル端縁にある移動局に到達するのに充分でなければならない。他方、ＤＳＣＨ電力制御がＤＣＨ電力制御に基づいて行なわれる場合、ソフトハンドオーバに関する問題があるだろう。この理由は、ユーザ装置（ＵＥ）が、アクティブなセルによって伝送されるＣＰＩＣＨ（共通パイロットチャネル）のＲＳＣＰ（受信信号コード電力（ｒｅｃｅｉｖｅｄ ｓｉｇｎａｌ ｃｏｄｅ ｐｏｗｅｒ））を測定することによって定期的に一次セルを選択するためである。最高のＣＰＩＣＨ  ＲＳＣＰのセルが一次セルとして検出される。通常、新しい基地局が追加されると、該基地局は、特にその端末に対するＤＳＣＨトラヒックがその基地局にハンドオーバされる場合に、それがそのＵＥに対する電力レベルで一次であるか、または一次に近いと予想できるが、その後、他の基地局が削除されるか、またはソフトハンドオーバ状態のアクティブセットに追加される場合に情報は与えられないと予想される。従来の方法は、基地局からの信号が、端末が受信している最強の信号であるかどうか判断する実際の手段を持たない。
【００１８】
したがって、ＤＳＣＨの電力制御の場合、問題は、初期に示されたソフトハンドオーバ状態が依然として有効であるかどうかに関わりなく、基地局が絶えず更新されないという点である。その結果、ＤＳＣＨの電力制御は、優勢ではないＤＣＨに基づいて行なわれていることがあるだろう。これは、ＤＳＣＨ電力レベルが低すぎることを意味するだろう。
【００１９】
解決策は、ＤＳＣＨ用の並列電力制御ループを追加することだろう。しかし、ＤＳＣＨはパイロットビットを含まず、無音持続時間の長い期間も有するため、これは問題となるだろう。１００Ｈｚ並列電力制御ループなどのＤＳＣＨ用の並列電力制御ループは、ＤＳＣＨでの伝送が開始されるときに必ずしもよい「最新のもの（ｕｐ−ｔｏ−ｄａｔｅ）」ではないだろう（このような解決策は、たとえば、ＤＳＣＨが使用するための既存の電力制御コマンドストリームから１０ミリ秒フレームごとにｎ個の記号を借りる可能性がある。１０ミリ秒フレームごとに１つの記号を借りる場合、結果として生じる速度は１００Ｈｚとなるだろう）。別の可能性は、ＤＳＣＨのためのやはり１５００Ｈｚ（電力コマンドのためのフレームあたり１つのスロットの、１５００Ｈｚ速度で提供される１５のスロットフレーム）の速度をもつ別々の記号の第２の完全な並列ストリームを追加することだろう。しかし、これは厄介で、現在の仕様のより多くの変更を必要とするだろう。また、ＤＳＣＨは不連続であるため、およびそれは基準（パイロット）記号を提供しないため、ＤＳＣＨをそれ自体の上で制御することは実現不可能である。
【００２０】
［発明の開示］
本発明の目的は、ダウンリンク伝送ダイバシティとの関連でダウンリンク共有チャネルの電力制御を提供することである。
【００２１】
本発明の第１態様によれば、少なくとも１台のユーザ装置（ＵＥ）および共通ネットワーク制御装置に接続される複数の基地局を有する無線通信システムの使用方法であって、前記ＵＥが、前記複数の基地局の内の２つ以上から前記ＵＥに同時に確立される複数の無線ダウンリンクの少なくとも１つのパラメータの大きさを定期的に決定し、前記ＵＥと前記システムと通信中のエンド端末間の通信セッションで使用するために、前記複数の無線ダウンリンクの前記２つ以上の内のどの無線リンクが現在好まれている基地局からであるのかを定期的に判断することができ、前記ＵＥから、前記複数の基地局の前記２つ以上の内の少なくとも１つへのアップリンクで、前記複数の基地局の前記２つ以上の内の前記少なくとも１つから前記ＵＥへのダウンリンクが、前記の現在好まれている基地局からであるあるかないかを定期的に信号で知らせる工程と、前記ＵＥからの前記アップリンクでの前記定期的な通知に応えて、前記複数の基地局の前記２つ以上の内の前記少なくとも１つから前記ＵＥへの少なくとも前記ダウンリンクのための電力制御方法を定期的に選択する工程とを含んでいる。
【００２２】
さらに本発明の第１態様によれば、前記１つまたは複数の基地局の内の前記少なくとも１つから前記ＵＥへの前記ダウンリンクが前記の現在好まれている基地局からではない旨を信号で知らせる前記通知工程に応えて、前記定期的に選択する工程が、前記現在好まれている基地局からではない前記ＵＥへの前記ダウンリンクのための固定電力レベル制御方法を選択する方法。
【００２３】
さらに本発明の第１態様によれば、前記１つまたは複数の基地局の前記少なくとも１つから前記ＵＥへの前記ダウンリンクが前記の現在好まれている基地局からである旨を信号で知らせる前記通知工程に応えて、前記定期的に選択する工程が、前記現在好まれている基地局から前記ＵＥへの別の関連ダウンリンクの電力レベルに基づく電力制御方法を選択する方法。
【００２４】
本発明の第２態様によれば、少なくとも１つのユーザ装置（ＵＥ）と共通ネットワーク制御装置に接続される複数の基地局を有する無線電気通信システム内で使用するための装置であって、前記ＵＥが、前記複数の基地局の２つ以上から前記ＵＥへ同時に確立される複数の無線ダウンリンクの少なくとも１つのパラメータの大きさを定期的に決定し、前記ＵＥと前記システムと通信中のエンド端末間の通信セッションで使用するために、前記複数の無線ダウンリンクの前記２つ以上の内のどの無線リンクが、現在好まれている基地局からであるのかを定期的に決定でき、前記ＵＥから前記複数の基地局の前記２つ以上の内の少なくとも１つへのアップリンクで、前記複数の基地局の前記２つ以上の内の前記少なくとも１つから前記ＵＥへのダウンリンクが前記の現在好まれている基地局からであるかないかの旨を定期的に信号で知らせるための手段と、前記ＵＥからの前記アップリンクでの前記定期的な通知に応えて、前記複数の基地局の前記２つ以上の前記少なくとも１つから前記ＵＥへの少なくとも前記ダウンリンクのための電力制御方法を定期的に選択するための手段とを備えてなる装置である。
【００２５】
本発明の第２態様によれば、前記１つまたは複数の基地局の前記少なくとも１つから前記ＵＥへの前記ダウンリンクが前記の現在好まれている基地局からではない旨を信号で知らせる前記通知工程に応えて、前記定期的に選択するための手段が、前記の現在好まれている基地局からではない前記ＵＥへの前記ダウンリンクのための固定電力レベル制御方法を選択する装置。
【００２６】
さらに、本発明の第２態様によれば、前記１つまたは複数の基地局の前記少なくとも１つから前記ＵＥへの前記ダウンリンクが、前記の現在好まれている基地局からである旨を信号で知らせる前記通知工程に応えて、前記定期的に選択するための前記手段が、前記の現在好まれている基地局から前記ＵＥへの別の関連ダウンリンクの電力レベルに基づいた電力制御方法を選択する装置。
【００２７】
本発明の第３態様によれば、無線電気通信システムで使用するためのユーザ装置（ＵＥ）であって、少なくとも１つの前記ＵＥおよび共通ネットワーク制御装置に接続される複数の基地局を有し、前記ＵＥが、前記複数の基地局の２つ以上から前記ＵＥへ同時に確立される複数の無線ダウンリンクの少なくとも１つの大きさを定期的に決定し、前記ＵＥと前記システムと通信中のエンド端末のあいだの通信セッションで使用するために、前記複数の無線ダウンリンクの前記２つ以上の内のどの無線ダウンリンクが現在好まれている基地局からであるのかを定期的に決定することができ、前記ＵＥは、対応する複数の検知済み信号を提供するために複数の基地局からのダウンリンク信号に応える検知手段と、前記複数の検知済みの信号を記憶するため、および要求時に前記複数の検知済みの信号を記憶装置から提供するための前記複数の検知済み信号に応える記憶手段と、前記検知済み信号のパラメータの大きさの比較を示す比較信号を提供するために、前記検知済み信号に関係するパラメータを比較するための前記記憶手段から検索される前記複数の検知済み信号に応えるコンパレータ手段と、好ましい基地局を選択するため、およびそれを示す選択信号を提供するための前記コンパレータ手段からの前記比較信号に応える選択手段と、好ましい基地局を示すアップリンク信号を提供するために前記選択信号に応える通知手段とを備えてなるユーザ装置。
【００２８】
本発明の第４態様によれば、少なくとも１台のユーザ装置（ＵＥ）を有する無線電気通信システムで使用するための装置であって、前記システムが共通ネットワーク制御装置に接続される複数の基地局を含み、前記ＵＥが前記複数の基地局の２つ以上から前記ＵＥへ同時に確立される複数の無線ダウンリンクの少なくとも１つのパラメータの大きさを定期的に決定し、前記ＵＥと前記システムと通信中のエンド端末間の通信セッションで使用するために、前記複数の無線ダウンリンクの前記２つ以上のどの無線ダウンリンクが現在好まれている基地局からであるのかを定期的に決定することができ、前記装置が、好ましい基地局の識別を示すユーザ装置からの選択信号に応え、基地局が好ましいかどうかを判断し、それを示す選択信号を提供するための前記アップリンク信号に応える選択手段と、好ましい基地局が決定されるかどうかにしたがって選択される電力レベルを、前記ユーザ装置へのダウンリンク制御信号に提供するために、前記選択信号に応える電力制御手段とを備えてなる装置。
【００２９】
本発明のこれらの、および他の目的、特徴および有利な点は、添付図面に描かれるような、その最良の形態の詳細な説明に照らしてさらに明らかになるだろう。
【００３０】
［発明を実施するための最良の形態］
図１０は、たとえば、それ自体と、マクロダイバシティ概念を使用する無線電気通信システム内の複数の基地局（ＢＳ）のあいだで同時に確立される複数の無線リンクを有する移動局１０の形を取るユーザ装置（ＵＥ）を示す。複数の基地局からの無線リンクのどれが通信セッション中の指定された時点で好まれているのかを決定することができ、どのリンクが好まれているのかに応じてセッション中の無線リンク間で連続的（ｓｅａｍｌｅｓｓ）に切り替わることができるために、ＵＥは、それぞれの基地局２０、２２、２４から多様なダウンリンク１４、１６、１８の選択されたパラメータに応える、図１１に示されるような検知手段１２を有する必要がある。検知されたダウンリンク信号１４、１６、１８をインタフェース手段に提供するアンテナ２８に接続されたインタフェース手段２６が備えられてもよい。該インタフェース手段は、アンテナに接続される信号線３０でダウンリンク信号を受信し、受信されるダウンリンク信号１４、１６、１８を示す出力信号を線路３２上で検知手段１２に送信する。該インタフェース手段２６は、線路３８上のアップリンク信号をアンテナ２８に提供するためのインタフェース手段３６も含むデュープレクサ３４の一部を形成してよい。
【００３１】
検知手段１２は、線路３２上でダウンリンク信号を検知し、検知手段１２によって検知される選択された検知パラメータを示す大きさを有する検知済み信号を線路４２上を供給する。これは、たとえば、信号強度であってもよい。記憶手段４４は、それぞれのダウンリンク１４、１６、１８ごとに検知されたパラメータの大きさを一時的に記憶するために、線路４２上で検知済み信号に応答する。一旦記憶されると、これらの記憶された信号の大きさは、そこでの比較のための比較手段４８に線路４６上の信号出力としてオンデマンドで供給できる。該比較手段４８は、たとえば、最大の信号強度のダウンリンク１４、１６、１８を決定できる。それから、それは信号線路５０上でどのダウンリンク１４、１６、１８が最大の信号強度を有するのかを示すことができる。次に、選択手段５２は、線路５０上の信号に応答して、最大信号規模のダウンリンクが現在生じている好ましい基地局を選択または指定できる。選択手段は、この選択を選択信号線５４で信号手段５４に表示することができ、該信号手段５４は、当該選択に応答して信号線５８上で選択された基地局の同定をインターフェース手段３６に信号で知らせ、ついでインターフェース手段３６は、信号線３８のアップリングとして同定または選択信号アンテナ２８に送信する。当該同定または選択信号はアップリンクとして放射され識別され得る。このプロセスは、移動局が多様な基地局に関して動き回るにつれて、複数の無線リンクの２つ以上の内のどの無線リンクが、ユーザ装置とシステムに接続されているエンド端末（図示されていない）のあいだの通信セッションで使用するために現在好まれているのかを決定するために、定期的に反復される。したがって、特定の局が信号強度を失い、別の局が、移動局が基地局に関して移動するにつれて獲得すると、ユーザ装置はこの情報を上流に信号で知らせ、どの基地局が、セッションを搬送するために現在実際に選択されているダウンリンクを提供するために現在好まれているのかを示すことができる。（音声と対照的に）データ搬送部分などの選択されていないダウンリンクの部分は遮断できる。
【００３２】
図１１のＵＥで示される構成要素は、図示されているように、ばらばらのエンティティとして実行される必要のない機能ブロックであることが理解されるべきである。実際、それらはＵＥ内にインストールされる永久メモリに常駐する実行可能ソフトウェアコードとして実行される可能性が高い。このような構成は周知であり、一般的にデータ、アドレス、および制御バスによってすべてが相互接続される中央演算処理装置（ＣＰＵ）、該実行可能コードを記憶するための読取専用メモリ（ＲＯＭ）、一時的な計算結果を記憶するためのランダムアクセスメモリ（ＲＡＭ）、記憶されるデータ情報等、多様な入出力（Ｉ／Ｏ）装置、クロックを含むタイミング手段を含む、汎用信号プロセッサまたは特殊目的信号プロセッサとして表すことができる。したがって、図１１に示されるブロックの機能は、言及されたようにＲＯＭに記憶されるこのようなソフトウェアコードで実施でき、図１１またはフローチャート、状態図またはこのような機能を記述する同等なものを参考にする当業者によって作成できる。したがって、図１１に図示される多様なブロックの機能は、選択されたアルゴリズムにしたがって分割または組み合わせることができることが理解されるだろう。たとえば、コンパレータ手段４８および選択手段５２は、単一の機能ブロックとして実施でき、それにより比較の結果は付加的な選択工程を通過しなくても好ましい基地局を自動的に示す。同様に、図１１と図１０、１２および１３の両方に図示されている他の多様なブロックは、他のブロックに機能的に転送、または他のブロックと結合することができる。
【００３３】
ここで図１２を参照すると、図１０に図示されている基地局２０の１つは、ＵＥからアップリンク６０を受信するためだけではなく、本発明にしたがって制御される電力レベルでダウンリンク１４を提供するためのアンテナ６２とともに描かれている。基地局は、別個のアンテナを含んでよいが、単一のアンテナと使用するためのデュープレクサ６４とともに図示されている。デュープレクサは、アンテナからＵＥからのアップリンク信号に応答し、ダウンリンク信号を選択手段６８に線路６６上で送信する。当該選択手段６８は線路７０上で選択信号を電力制御手段７２に送信するための手段であり、当該電力制御手段７２は、線路７４上のデュープレクサ６４への出力信号によって、ダウンリンク１４上で送信される電力レベルを制御する。該電力制御手段は、ダウンリンク１４上で伝送される情報を含むダウンリンク情報または音声信号に線路７５上で応答する。すなわち、電力制御手段７２は、線路７０上の信号に応答して変化する電力レベルで、線路７４上でのその出力として線路７５上で信号を送信する。このようにして、基地局は、線路６０上で、基地局が線路１４上でダウンリンク信号を送信するために好まれているかどうかを示すアップリンク信号に応答できる。その代わりに、線路７５上の情報信号は、その結果制御信号として動作する線路７４上の信号によって制御される別の並列装置に送信できる。
【００３４】
すでに述べたように、ＵＥでの選択の過程は、信号強度などのダウンリンクのパラメータに基づくことができる。通常、基地局２０、２２…２４の内の１つが好ましい基地局として選択され、ＵＥと、システムに接続されている図示されていない端末のあいだで継続中の通信セッションを供給する唯一の基地局となるだろう。基地局２０、２２、２４が、結果的に移動電気通信システム内で他の階層的に高い方の制御装置に接続される共通ネットワーク制御装置７６に接続されてよいことも言及する必要がある。ただし、本発明を図解する目的で、このような他の装置を図示することは必要ではない。したがって、図１２の基地局２０内に位置するように図示される機能ブロックが移動電気通信システム内のさまざまな階層レベルで全体としてまたは部分的に実施できることが理解されるだろう。たとえば、機能のすべてまたは一部は、基地局（ノードＢ）での代わりに、上流のＲＮＣ（図２を参照すること）で実施することができる。
【００３５】
本発明の特殊な用途は、ここでＷＣＤＭＡに提案されているＤＳＣＨと関連して説明されるだろう。ＤＳＣＨ（ダウンリンク共有チャネル）は、ダウンリンク内でのパケットデータの伝送のためにＷＣＤＭＡで使用されることになっている。ＤＳＣＨは、つねに個別チャネル（ＤＣＨ）と関連付けられるような方法で動作される１つの共通チャネルである。ＤＳＣＨを使用する主要な理由は、使用されるチャネルリソースが最大ピークデータレートにしたがってすべてのユーザに確保されるケースと比較するときの直交コードリソースの節約である。使用例は、使用されるチャネルで音声サービスを割り当て、次にＤＳＣＨでパケットデータサービスを割り当てることである。そのイベントでは、ＤＳＣＨは、非リアルタイムパケットデータ（ワールドワイドウェブブラウズ等）などの、遅延が変化してよいサービスに最も有効である（ＨｏｌｍａおよびＴｏｓｋａｌａによって編集される「ＵＭＴＳ用ＷＣＤＭＡ、第３世代移動通信用無線アクセス（ＷＣＤＭＡ ｆｏｒ ＵＭＴＳ， Ｒａｄｉｏ Ａｃｃｅｓｓ ｆｏｒ Ｔｈｉｒｄ Ｇｅｎｅｒａｔｉｏｎ Ｍｏｂｉｌｅ Ｃｏｍｍｕｎｉｃａｔｉｏｎｓ）」、７７ページの第６．２．２．６項、および９９〜１００ページの第６．４．７項を参照すること）。
【００３６】
電力レベルが優勢ではない使用されるチャネルにしたがって設定されるときに端末のＤＳＣＨ電力制御が悪化する可能性がある前述されたマクロダイバシティ問題を考慮して、本発明によるＷＣＤＭＡのためのソフトハンドオーバでの改善されたＤＳＣＨ電力制御を示す図１３を参照する。
【００３７】
現在、サイト選択ダイバシティ伝送（ＳＳＤＴ）電力制御は、第５．２．１．４項の第３世代（３Ｇ）技術仕様書２５．２１４第３．１．１版（１９９９年１２月）に、ソフトハンドオーバモードでのオプションのマクロダイバシティ方法として明示されている。ユーザ装置（ＵＥ）は、そのアクティブな集合から一次になるための１つのセルを選択し、ＦＢＩ（フィードバック情報）フィールドでアップリンクを介して接続セルに一次セルＩＤを定期的に知らせる。一次セルとしてＵＥによって選択されない非一次セルは、対応するＵＥに関連付けられる特定のＤＣＨのＤＰＤＣＨ（使用されるデータチャネル）の伝送電力をオフに切り替える。
【００３８】
ＳＳＤＴでは、第５．２．１．４．５項の３Ｇ  ＴＳ  ２５．２１４仕様にしたがって、非一次セルがそのＤＰＤＣＨ出力をオフに切り替えることができる（つまり、無伝送）。セルは２つのダウンリンク伝送電力レベルＰ１、Ｐ２を管理する。電力レベルＰ１は、ダウンリンクＤＰＣＣＨ（使用される制御チャネル）伝送電力レベルのために使用され、このレベルは、選択された状態（一次または非一次）に関係なく通常の伝送電力制御（または圧縮モードでの電力制御）について前述されたように更新される。ＴＦＣＩ（伝送フォーマット組み合わせインジケータ）、ＴＰＣ（伝送電力制御）、およびＤＰＣＣＨのパイロットフィールドの実際の伝送電力は、ＰＩとオフセットＰ０１、Ｐ０２、およびＰ０３をそれぞれ追加することによって設定される。
【００３９】
現在提案されているダウンリンク伝送電力制御手順が、同時に、ＤＰＣＣＨ（使用される制御チャネル）とその対応するＤＰＤＣＨ（使用されるデータチャネル）の電力を同時に制御することが理解されなければならない。電力制御ループは、ＤＰＣＣＨとＤＰＤＣＨの電力を同量で調整する。つまり、ＤＰＣＣＨとＤＰＤＣＨのあいだの相対電力差異は変化しない。前述の３Ｇ  ＴＳ  ２５．２１４、第３．１．０版の第５．２．１．１項にしたがって、ＤＰＣＣＨフィールドとＤＰＤＣＨのあいだの相対伝送電力オフセットはネットワークによって決定される。ＤＰＣＣＨのＴＦＣＩ、ＴＰＣおよびパイロットフィールドは、それぞれＰ０１、Ｐ０２、およびＰ０３  ｄＢ、ＤＰＤＣＨの電力を基準にして相殺される。電力オフセットは、時間が経てば変化する可能性がある。
【００４０】
図１３を参照し直すと、それはアップリンクとダウンリンクの２つの対応する組８６、８８上で２つの基地局（３ＧのノードＢ）８２、８４と通信中の発信機（８０）の形を取るユーザ装置（ＵＥ）を示す。左側のノードＢ、８２と右側のノードＢ、８４は、図２に図示されるＲＮＣの１つのような１台の共通無線ネットワーク制御装置（ＲＮＣ）９０に結線される。言い換えると、図２に図示される各ＲＮＣは、それぞれがＲＮＣによってサービスを受けるセルのグループ内のある特定のセルを占有する複数のノードＢ基地局に接続される。各ノードＢは、図２に図示されるように、ＩｕｂインタフェースによってＲＮＣに接続される。図１０のＲＮＣは、Ｉｕｒインタフェースと呼ばれる別のインタフェース上で、図２に示唆されるように、別のＲＮＣに接続されてよい。このようにして、図１０の発信機（８０）は、同時にアクティブな接続をつねに維持しながら、このような遷移を行なうときにこのような接続を破壊したり、構築する必要なく、１台のＲＮＣによってサービスを受けるセルのグループから、別のＲＮＣによってサービスを受けるセルのグループに実際に移動できる。
【００４１】
いずれにせよ、例示的なＤＳＣＨ電力制御は、たとえば、ノードＢに、またはＲＮＣに常駐できる。図１２の基地局に最も便利に常駐するように示されているが、それがＲＮＣ内、またはたとえば図２の３Ｇ−ＳＧＳＮ内などさらに遠く上流にも常駐できることが理解されなければならない。ＤＳＣＨ電力制御は高速または低速である場合があり、関連づけられるＤＣＨと同じである場合があるが、提案されている３Ｇでは、ノードＢは、それがいつソフトハンドオーバにあるのかに関する情報を絶えずもたず、したがって時間が経過するにつれて、セッション中にＤＣＨ電力は低くなりすぎて、ＤＳＣＨ基準として使用できなくなる。これは、ノードＢが、それが指定された時点で一次であるかどうかに関係なく、接続中に情報を持たないためである。この情報のネットワークでの更新は低速であり、必ずしもつねに最新ではないだろう。
【００４２】
前述されたＳＳＤＴは、セルが一次であるかどうか、ソフトウェアハンドオーバで示す。基地局（ノードＢ）は、ＵＥによって送信されるセルＩＤが基地局に一致しないとき、データを伝送しないが、制御情報だけを伝送すると考えられる。
【００４３】
本発明の実施形態にしたがって、ＳＳＤＴ通知は、基地局が実際にそれを使用するかどうかに関係なく使用され、ＳＳＤＴは、セルが一次である場合、ＤＳＣＨ電力はＤＣＨに基づいて設定され、一次ではない場合は、固定電力レベルまたはＤＣＨに関してオフセット電力レベルが使用されるという原則で、ＤＳＣＨ伝送電力を構成するためのその通知情報のために使用される。
【００４４】
ＲＮＣインタフェース（Ｉｕｂ）のためのノードＢで提案されているパラメータ化のために、平均化期間での一次表示の関数としてパラメータ化されるＤＣＨとＤＳＣＨのあいだのオフセットがあるだろう。
【００４５】
ＤＳＣＨは、（Ａ）一次または（Ｂ）非一次のときにオフセットされる。さらに具体的には、ケース（Ａ）の場合、オフセットは０となるだろう。つまりオフセットはデータレートだけの関数である。ケース（Ｂ）の場合、オフセットは、たとえば最後の１０フレームでの一次表示の関数となるだろう。したがって、１０／１０一次表示の場合、オフセットは０ｄＢになるだろうが、１０フレームの中から１つだけが基地局を一次であると示す場合には、たとえば１０ｄＢのオフセットが示されるだろう。
【図面の簡単な説明】
【図１】
従来の技術によるＧＰＲＳインフラストラクチャを示す。
【図２】
従来の技術によるＵＭＴＳインフラストラクチャを示す。
【図３】
ユーザ装置が、シームレスなハンドオーバを提供するために無線接続の質を改善することを目的として、２つまたは３つ以上のＵＴＲＡＮアクセスポイントのある無線リンクを同時に有するＵＭＴＳのためのマクロダイバシティの２つの既知の例を示す。
【図４】
移動局が問題のセルの基地局の２つまたは３つ以上と無線リンクを同時に有する可能性がある、無線電気通信網内のセル間で移動する移動局の形を取るユーザ装置を示す。
【図５】
ＢＳ１からの距離が増すにつれた、そこに描かれている３つのセルの中の基地局から図４の移動局によって受信される信号の信号強度を示す。
【図６】
多様な移動局と基地局間の距離が変化する、基地局によってサービスを提供されるセルに位置する複数の基地局を示す。
【図７】
電力制御を行なわない基地局から、図６の多様な移動局で受信される多様な電力レベルを示す。
【図８】
最適な電力を用いるのを除き、図６に図示されるのと同じ状況を示す。
【図９】
ＷＣＤＭＡでは必須である既知の高速閉ループ電力制御を示す。
【図１０】
少なくとも１つのユーザ装置（ＵＥ）と１つの共通のネットワーク制御装置に接続される複数の基地局を有する無線電気通信システムを示し、そこではＵＥは、ＵＥとシステムと通信中のエンド端末間の通信セッションで使用するために、複数の無線ダウンリンクの２つ以上の内のどの無線ダウンリンクが現在好まれている基地局からなのかを定期的に決定するために、複数の基地局の２つ以上からＵＥへ同時に確立される複数の無線ダウンリンクの少なくとも１つのパラメータの大きさを定期的に判断できる事を示す。
【図１１】
本発明による図１０のＵＥをさらに詳細に示す。
【図１２】
本発明による図１０の基地局の１つをさらに詳細に示す。
【図１３】
本発明によるＷＣＤＭＡのためのソフトハンドオーバでの改善されたＤＳＣＨ電力制御を示す。
【図１】
2004502360.tif 000003
【図２】
2004502360.tif 000004
【図３】
2004502360.tif 000005
【図５】
2004502360.tif 000006
【図７】
2004502360.tif 000007
【図８】
2004502360.tif 000008
【図９】
2004502360.tif 000009
【図１０】
2004502360.tif 000010
【図１１】
2004502360.tif 000011
【図１２】
2004502360.tif 000012
【図１３】
2004502360.tif 000013
【国際公開パンフレット】
2004502360.tif 000014
2004502360.tif 000015
2004502360.tif 000016
2004502360.tif 000017
2004502360.tif 000018
2004502360.tif 000019
2004502360.tif 000020
2004502360.tif 000021
2004502360.tif 000022
2004502360.tif 000023
2004502360.tif 000024
2004502360.tif 000025
2004502360.tif 000026
2004502360.tif 000027
2004502360.tif 000028
2004502360.tif 000029
2004502360.tif 000030
2004502360.tif 000031
2004502360.tif 000032
2004502360.tif 000033
2004502360.tif 000034
2004502360.tif 000035
2004502360.tif 000036
2004502360.tif 000037
2004502360.tif 000038
2004502360.tif 000039
2004502360.tif 000040
2004502360.tif 000041
2004502360.tif 000042
2004502360.tif 000043
2004502360.tif 000044
2004502360.tif 000045
【国際公開パンフレット（コレクトバージョン）】
2004502360.tif 000046
2004502360.tif 000047
【国際調査報告】
2004502360.tif 000048
2004502360.tif 000049
2004502360.tif 000050